(57)【要約】【課題】ＩＰ接続が未確立の状態にある移動端末にＩＰ通信網とのＩＰ接続をさせ、ＩＰ通信網上の端末装置との常時ＩＰ接続による通信を可能とする。【解決手段】接続要求受付部１６が発信者端末３からの接続要求を受け付けると、呼び出し番号抽出部１７が接続要求に含まれるユーザＩＤに対応する電話番号をユーザプロファイル記憶部１８から抽出し、制御メッセージ送信部１９が電話番号宛てに制御ＳＭＳを送信する。制御ＳＭＳには移動端末２にネットワークＮ２（セルラ網）を介したＩＰ接続をさせるための動作制御が可能な制御コードが含まれているので、移動端末２は、ネットワークＮ２とＩＰ接続される。これにより、移動端末２とＨＧＷ装置１とが常時ＩＰ接続されることとなり、ＨＧＷ装置１が通信を接続することにより、ＩＰ通信網上の発信者端末３と移動端末２との間の常時ＩＰ接続による通信が可能となる。【選択図】図２
2010288022.tif 000002
【特許請求の範囲】
【請求項１】
移動端末と、ＩＰ通信網を介して通信可能な発信者端末との通信を接続する通信接続装置であって、
前記移動端末の利用者を識別する情報であるユーザＩＤと、前記移動端末を識別すると共に当該移動端末の呼び出しに用いられる呼び出し番号とを対応付けて記憶するユーザプロファイル記憶手段と、
前記ユーザＩＤを含み、前記発信者端末から前記移動端末に対する接続要求を受け付ける接続要求受付手段と、
前記ユーザプロファイル記憶手段を参照し、前記接続要求受付手段により受け付けられた前記接続要求に含まれる前記ユーザＩＤに対応付けられている前記呼び出し番号を抽出する呼び出し番号抽出手段と、
前記移動端末にＩＰ接続をさせる制御メッセージを、前記呼び出し番号抽出手段により抽出された前記呼び出し番号宛てに送信する制御メッセージ送信手段と、
前記制御メッセージに対する前記移動端末からの応答を受けると、当該移動端末と、前記発信者端末との間の通信を接続する通信接続手段と
を備えることを特徴とする通信接続装置。
【請求項２】
ＩＰ通信網上における所在を示す情報であるＩＰアドレスと、前記ユーザＩＤとを対応付けて記憶するアプリケーションユーザ情報記憶手段に、前記通信接続装置の前記ＩＰアドレスと前記移動端末のユーザＩＤとを対応付けて登録する代理登録手段を備え、
前記接続要求は、前記アプリケーションユーザ情報記憶手段を参照して、前記ユーザＩＤに基づいて抽出された前記ＩＰアドレスを宛先として、前記発信者端末から送信される
ことを特徴とする請求項１に記載の通信接続装置。
【請求項３】
前記移動端末とＩＰ接続し、当該移動端末と無線による通信を行う無線通信手段と、
前記移動端末と前記無線通信手段との間のＩＰ接続が確立しているか否かを判断する在圏確認処理手段とを備え、
前記代理登録手段は、前記在圏確認処理手段により、前記移動端末と前記無線通信手段との間のＩＰ接続が確立していないと判断された場合に、前記通信接続装置の前記ＩＰアドレスと前記移動端末のユーザＩＤとを対応付けて前記アプリケーションユーザ情報記憶手段に登録する
ことを特徴とする請求項２に記載の通信接続装置。
【請求項４】
移動端末と、ＩＰ通信網を介して通信可能な発信者端末との通信を接続する通信接続装置による通信接続方法であって、
前記移動端末の利用者を識別する情報であるユーザＩＤを含み、前記発信者端末から前記移動端末に対する接続要求を受け付ける接続要求受付ステップと、
前記ユーザＩＤと、前記移動端末を識別すると共に当該移動端末の呼び出しに用いられる呼び出し番号とを対応付けて記憶するユーザプロファイル記憶手段を参照し、前記接続要求受付ステップにおいて受け付けられた前記接続要求に含まれる前記ユーザＩＤに対応付けられている前記呼び出し番号を抽出する呼び出し番号抽出ステップと、
前記移動端末にＩＰ接続をさせる制御メッセージを、前記呼び出し番号抽出ステップにおいて抽出された前記呼び出し番号宛てに送信する制御メッセージ送信ステップと、
前記制御メッセージに対する前記移動端末からの応答を受けると、当該移動端末と、前記発信者端末との間の通信を接続する通信接続ステップと、
を有することを特徴とする通信接続方法。
【発明の詳細な説明】
【技術分野】
【０００１】
本発明は、通信接続装置及び通信接続方法に関する。
【背景技術】
【０００２】
近年、端末装置間でインターネットを介してメッセージの送受信を行なうメッセージアプリケーションが普及している。メッセージアプリケーションを用いて端末装置間で通信を行うためには、それぞれの端末装置がＩＰ通信網と常時ＩＰ接続されている必要がある。一方、移動端末を宅内で使用するような場合において、ＩＰ通信網と宅内の移動端末との通信を仲介するための、いわゆるホームゲートウエイ装置が普及している。移動端末は、例えば無線通信によりホームゲートウエイ装置と常時ＩＰ接続することができる。ホームゲートウエイ装置がＩＰ通信網とＩＰ接続されているので、移動端末は、ホームゲートウエイ装置とＩＰ接続することにより、ＩＰ通信網との常時ＩＰ接続を確立することができる。従って、宅内の移動端末は、上記のメッセージアプリケーションを使用して、ＩＰ通信網上の他の端末装置と通信を行うことが可能である。このような、移動端末とＩＰ網との通信の接続を行うゲートウエイ装置が知られている（例えば、特許文献１参照）。
【先行技術文献】
【特許文献】
【０００３】
【特許文献１】特開２００７−１８４７３７号公報
【発明の概要】
【発明が解決しようとする課題】
【０００４】
移動端末を屋外で使用する場合において、移動端末をインターネット等のＩＰ通信網と接続する手段として、セルラのパケット通信網、公衆無線ＬＡＮ等がある。しかしながら、これらの通信手段は、移動端末にＩＰ通信網との常時ＩＰ接続を提供するものではない。従って、屋外の移動端末は、常時ＩＰ接続を必要とするメッセージアプリケーションを使用できなかった。
【０００５】
そこで、本発明は、かかる問題点に鑑みてなされたものであり、ＩＰ接続が未確立の状態にある移動端末にＩＰ通信網とのＩＰ接続をさせ、ＩＰ通信網上の端末装置との常時ＩＰ接続による通信を可能とする通信接続装置及び通信接続方法を提供することを目的とする。
【課題を解決するための手段】
【０００６】
上記課題を解決するために、本発明の通信接続装置は、移動端末と、ＩＰ通信網を介して通信可能な発信者端末との通信を接続する通信接続装置であって、移動端末の利用者を識別する情報であるユーザＩＤと、移動端末を識別すると共に当該移動端末の呼び出しに用いられる呼び出し番号とを対応付けて記憶するユーザプロファイル記憶手段と、ユーザＩＤを含み、発信者端末から移動端末に対する接続要求を受け付ける接続要求受付手段と、ユーザプロファイル記憶手段を参照し、接続要求受付手段により受け付けられた接続要求に含まれるユーザＩＤに対応付けられている呼び出し番号を抽出する呼び出し番号抽出手段と、移動端末にＩＰ接続をさせる制御メッセージを、呼び出し番号抽出手段により抽出された呼び出し番号宛てに送信する制御メッセージ送信手段と、制御メッセージに対する移動端末からの応答を受けると、当該移動端末と、発信者端末との間の通信を接続する通信接続手段とを備えることを特徴とする。
【０００７】
また、上記課題を解決するために、本発明の通信接続方法は、移動端末と、ＩＰ通信網を介して通信可能な発信者端末との通信を接続する通信接続装置による通信接続方法であって、移動端末の利用者を識別する情報であるユーザＩＤを含み、発信者端末から移動端末に対する接続要求を受け付ける接続要求受付ステップと、ユーザＩＤと、移動端末を識別すると共に当該移動端末の呼び出しに用いられる呼び出し番号とを対応付けて記憶するユーザプロファイル記憶手段を参照し、接続要求受付ステップにおいて受け付けられた接続要求に含まれるユーザＩＤに対応付けられている呼び出し番号を抽出する呼び出し番号抽出ステップと、移動端末にＩＰ接続をさせる制御メッセージを、呼び出し番号抽出ステップにおいて抽出された呼び出し番号宛てに送信する制御メッセージ送信ステップと、制御メッセージに対する移動端末からの応答を受けると、当該移動端末と、発信者端末との間の通信を接続する通信接続ステップとを有することを特徴とする。
【０００８】
本発明の通信接続装置及び通信接続方法では、発信者端末からの接続要求を受け付けると、接続要求に含まれるユーザＩＤに対応する呼び出し番号宛てに制御メッセージが送信される。制御メッセージには、移動端末に、ＩＰ通信網に対してＩＰ接続をさせるための動作制御が可能な制御コードが含まれているので、移動端末は、制御コードにより動作制御され、ＩＰ通信網とＩＰ接続される。これにより、移動端末と当該通信接続装置とがＩＰ接続されることとなるので、ＩＰ通信網上の端末装置と移動端末との間の常時ＩＰ接続による通信が可能となる。
【０００９】
また、本発明の通信接続装置は、ＩＰ通信網上における所在を示す情報であるＩＰアドレスと、ユーザＩＤとを対応付けて記憶するアプリケーションユーザ情報記憶手段に、通信接続装置のＩＰアドレスと移動端末のユーザＩＤとを対応付けて登録する代理登録手段を備え、接続要求は、アプリケーションユーザ情報記憶手段を参照して、ユーザＩＤに基づいて抽出されたＩＰアドレスを宛先として、発信者端末から送信されることを特徴とする。
【００１０】
発信者端末は、アプリケーションユーザ情報記憶手段を参照して、通信の宛先となる装置のＩＰアドレスを認識する。この場合には、移動端末ではなく通信接続装置のＩＰアドレスが通信の宛先として発信者端末に認識されるので、接続要求は、ＩＰ通信網上の通信接続装置に送信されることとなる。これにより、通信接続装置は、移動端末に代わって発信者端末からの通信を受信し、受信した通信の内容を移動端末に転送することが可能となる。従って、通信接続装置は、移動端末と発信者端末との間の通信を接続することができる。
【００１１】
また、本発明の通信接続装置は、移動端末とＩＰ接続し、当該移動端末と無線による通信を行う無線通信手段と、移動端末と無線通信手段との間のＩＰ接続が確立しているか否かを判断する在圏確認処理手段とを備え、代理登録手段は、在圏確認処理手段により、移動端末と無線通信手段との間のＩＰ接続が確立していないと判断された場合に、通信接続装置のＩＰアドレスと移動端末のユーザＩＤとを対応付けてアプリケーションユーザ情報記憶手段に登録することを特徴とする。
【００１２】
この場合には、移動端末が常時ＩＰ接続されていない場合にのみ、通信接続装置のＩＰアドレスがアプリケーションユーザ記憶手段に登録されることとなるので、接続要求が移動端末ではなく通信接続装置宛てに送信され、移動端末にセルラ網とのＩＰ接続をさせるための制御メッセージが送信されることとなる。従って、移動端末が常時ＩＰ接続されていないことを認識した場合にのみ、通信接続装置が発信者端末と移動端末との間の通信の接続を実施し、移動端末が常時ＩＰ接続されていないことを認識しなかった場合には、発信者端末と移動端末との直接的なＩＰ接続により通信が行われる。
【発明の効果】
【００１３】
本発明の通信接続装置及び通信接続方法によれば、移動端末と通信接続装置とが常時ＩＰ接続され、通信接続装置が通信を接続することにより、ＩＰ通信網上の発信者端末と移動端末との間の常時ＩＰ接続による通信が可能となる。
【図面の簡単な説明】
【００１４】
【図１】通信接続装置の実施形態に係るＨＧＷ装置を含むネットワーク構成を示す図である。
【図２】ＨＧＷ装置の機能的構成を示すブロック図である。
【図３】ＨＧＷ装置のハードブロック図である。
【図４】アプリケーションユーザ情報記憶部の構成及び記憶されているデータの一例を示す図である。
【図５】ユーザプロファイル記憶部の構成及び記憶されているデータの一例を示す図である。
【図６】制御ＳＭＳの内容の一例を示す図である。
【図７】ＨＧＷ装置において行われる移動端末の在圏確認及びＩＰアドレスの代理登録の処理を示すフローチャートである。
【図８】移動端末とのＩＰ接続を確立し、発信者端末とのメッセージアプリケーションによる通信を接続する処理を示すフローチャートである。
【発明を実施するための形態】
【００１５】
本発明の実施形態に係る通信接続装置について図面を参照して説明する。なお、可能な場合には、同一の部分には同一の符号を付して、重複する説明を省略する。
【００１６】
図１は、実施形態に係る通信接続装置を含む全体構成を示す図である。図１に示す構成には、ホームゲートウエイ（ＨＧＷ）装置１、移動端末２Ａ，２Ｂ、発信者端末３及びメッセージサーバ４が含まれる。なお、図１では、２つの移動端末２及び１つの発信者端末３が示されているが、それぞれの数はこれに限られず、さらに多数であってもよい。
【００１７】
ＨＧＷ装置１は、移動端末２と、ＩＰ通信網を介して通信可能な発信者端末３との通信を接続する装置である。また、ＨＧＷ装置１は、所定の無線通信方式によるアクセスポイントとしての機能を有し、移動端末２Ｂと当該無線通信方式による通信が可能である。また、ＨＧＷ装置１は、ネットワークＮ１とＩＰ接続されている。さらに、ＨＧＷ装置１は、ネットワークＮ２とＩＰ接続されている。ＨＧＷ装置１は、本発明の通信接続装置を構成する。ＨＧＷ装置１及び移動端末２Ｂは、自宅内Ｈに配置されている。
【００１８】
ネットワークＮ１は、例えばインターネット等のＩＰ通信網である。ネットワークＮ１には、ＨＧＷ装置１、発信者端末３及びメッセージサーバ４がＩＰ接続されている。
【００１９】
ネットワークＮ２は、例えば、移動端末２のためのセルラ網であり、電話番号を用いた音声通話、パケット通信、いわゆるショートメッセージサービス（以下、「ＳＭＳ」とする）等に用いられる。なお、ネットワークＮ２は、セルラ網に限られず、例えば公衆無線ＬＡＮのネットワーク等であってもよい。ここでＳＭＳについて説明する。
【００２０】
従来より、移動端末に対するメッセージの送受信の手段の一つとして、ＳＭＳが用いられている。ＳＭＳは、いわゆるプッシュ型の配信方式により移動端末に対してメッセージを配信するものであり、テキストメッセージの配信の他、電子メールの着信通知等にも用いられている。また、ＳＭＳでは、所定の制御コードをメッセージ中に記述することにより、メッセージを受信した移動端末の動作制御が可能である。このような制御コードを含むメッセージは制御ＳＭＳと言われる。
【００２１】
移動端末２Ａは、ネットワークＮ２を介した音声通話、ＳＭＳの送受信が可能であると共に、ネットワークＮ２に対してＩＰ接続可能である。
【００２２】
発信者端末３は、ネットワークＮ１とＩＰ接続されており、メッセージアプリケーションを使用した通信を行うことができる。メッセージアプリケーションは、端末装置間でインターネット等のＩＰ通信網を介してメッセージの送受信を行なうアプリケーションであり、メッセージアプリケーションを用いて端末装置間で通信を行うためには、それぞれの端末装置がＩＰ通信網と常時ＩＰ接続されている必要がある。
【００２３】
メッセージサーバ４は、上記メッセージアプリケーションによる通信を管理するためのサーバであり、アプリケーションユーザ情報記憶部４０（アプリケーションユーザ情報記憶手段）を有している。ここで、アプリケーションユーザ情報記憶部４０について説明する。図４は、アプリケーションユーザ情報記憶部４０の構成及び記憶されているデータの一例を示す図である。図４に示す例では、ユーザＩＤに対応付けて、ＩＰアドレス及びプレゼンスを記憶している。ユーザＩＤは、メッセージアプリケーションの利用者を識別する識別子であり、移動端末の利用者の識別子としてのユーザＩＤと共通である。ＩＰアドレスは、当該ユーザＩＤにより識別される利用者の端末装置、移動端末２等のネットワークＮ１上での所在を示す情報である。プレゼンスは、各ユーザのメッセージアプリケーションの利用状態を示す。プレゼンスが「起動中」である場合には、当該移動端末２は、メッセージアプリケーションを起動して通信を行っている。また、プレゼンスが「切断中」である場合には、当該移動端末２は、メッセージアプリケーションによる通信を実施していない。
【００２４】
図２は、ＨＧＷ装置１の機能的構成を示すブロック図である。ＨＧＷ装置１は、機能的には、無線通信部１０（無線通信手段）、在圏確認処理部１１（在圏確認処理手段）、代理登録部１２（代理登録手段）、ＩＰ通信網送受信部１３、セルラ網送受信部１４、通信接続部１５（通信接続手段）、接続要求受付部１６（接続要求受付手段）、呼び出し番号抽出部１７（呼び出し番号抽出手段）、ユーザプロファイル記憶部１８（ユーザプロファイル記憶手段）及び制御メッセージ送信部１９（制御メッセージ送信手段）を備える。
【００２５】
また、図３は、ＨＧＷ装置１のハードウエア構成図である。ＨＧＷ装置１は、物理的には、図３に示すように、ＣＰＵ１０１、主記憶装置であるＲＡＭ１０２及びＲＯＭ１０３、ネットワークカード等のデータ送受信デバイスである通信モジュール１０４、ハードディスク、フラッシュメモリ等の補助記憶装置１０５、入力デバイスであるキーボード及びマウス等の入力装置１０６、ディスプレイ等の出力装置１０７などを含むコンピュータシステムとして構成されている。図２に示した各機能は、図３に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。以下、図２を用いて、ＨＧＷ装置１の各機能部について詳細に説明する。
【００２６】
無線通信部１０は、移動端末２とＩＰ接続し、当該移動端末２と無線による通信を行う部分である。無線通信部１０は、例えば所定の無線ＬＡＮ規格に基づくものであり、自宅内Ｈにおいて、移動端末２Ｂと通信を行うことが可能である。無線通信部１０は、ＩＰ通信網送受信部１３により受信された通信内容を、通信接続部１５を介して取得し、取得した通信内容を移動端末２Ｂに送信することができると共に、移動端末２Ｂより受信した通信内容を通信接続部１５に送出することができる。
【００２７】
在圏確認処理部１１は、移動端末２と無線通信部１０との間のＩＰ接続が確立しているか否かを判断する部分である。具体的には、在圏確認処理部１１は、ユーザプロファイル記憶部１８を参照してユーザＩＤ毎にＩＰアドレス及びポート番号を抽出し、抽出したＩＰアドレス及びポート番号宛てにアクセスを試行し、当該ユーザＩＤにより識別される移動端末２との間のＩＰ接続の状態を判断する。移動端末２と無線通信部１０との間のＩＰ接続が確立していることをもって、在圏と判断される。
【００２８】
そして、在圏確認処理部１１は、ＩＰ接続が確立しているか否かの判断の結果を代理登録部１２に送出する。移動端末２と無線通信部１０との間のＩＰ接続が確立していない状態とは、例えば移動端末２Ｂに示されるように自宅内Ｈに移動端末２がある状態ではなく、移動端末２Ａに示されるように自宅内Ｈ以外の場所に移動端末２が存在し、無線通信部１０と移動端末２との間でのＩＰ接続が不可能な状態である。
【００２９】
代理登録部１２は、在圏確認処理部１１により、移動端末２と無線通信部１０との間のＩＰ接続が確立していないと判断された場合に、ＨＧＷ装置１のＩＰアドレスと移動端末２のユーザＩＤとを対応付けて、ＩＰ通信網送受信部１３を介してアプリケーションユーザ情報記憶部４０に登録する部分である。これにより、当該移動端末２は、ＨＧＷ装置１のＩＰアドレスにより識別されるネットワーク上の場所に所在するとみなされる。
【００３０】
ＩＰ通信網送受信部１３は、ネットワークＮ１とのＩＰ接続を確立し、ネットワークＮ１上の他の装置との通信の制御を行う部分である。具体的には、ＩＰ通信網送受信部１３は、メッセージアプリケーションのメッセージの送受信、メッセージの通信接続部１５に対する授受、発信者端末３から送信された接続要求の受信、受信した接続要求の接続要求受付部１６への送出等を行う部分である。
【００３１】
セルラ網送受信部１４は、セルラ網であるネットワークＮ２を介した通信を制御する部分である。具体的には、セルラ網送受信部１４は、ネットワークＮ２を介したメッセージアプリケーションのメッセージの送受信、通信接続部１５に対するメッセージの授受、制御メッセージ送信部１９から取得した制御ＳＭＳの送信等を行う部分である。なお、ネットワークＮ２が、例えば公衆無線ＬＡＮであり、移動端末２Ａが当該公衆無線ＬＡＮを介してＨＧＷ装置１にアクセスを行う場合には、セルラ網送受信部１４は、無線ＬＡＮ通信が可能な送受信インターフェースであってもよい。例えば、移動端末２Ａが、セルラ網及び公衆無線ＬＡＮの通信可能なエリアに同時に在圏している場合に、移動端末２Ａは、より安価な通信網を選択・判断して、ＨＧＷ装置１にアクセスすることができる。
【００３２】
通信接続部１５は、発信者端末３と移動端末２との間の通信を接続する部分である。発信者端末３と移動端末２Ａとの間の通信を接続する場合には、通信接続部１５は、ＩＰ通信網送受信部１３とセルラ網送受信部１４との間のメッセージの授受を仲介する。発信者端末３と移動端末２Ｂとの間の通信を接続する場合には、通信接続部１５は、ＩＰ通信網送受信部１３と無線通信部１０との間のメッセージの授受を仲介する。
【００３３】
接続要求受付部１６は、移動端末２に対する発信者端末３からの接続要求を、ＩＰ通信網送受信部１３を介して取得し、受け付ける部分である。接続要求は、接続対象の移動端末２の利用者を識別する情報であるユーザＩＤ等を含んでいる。接続要求については後に詳述する。また、接続要求受付部１６は、接続要求に含まれるユーザＩＤ等を呼び出し番号抽出部１７に送出する。
【００３４】
呼び出し番号抽出部１７は、接続要求受付部１６から送出されたユーザＩＤを取得し、ユーザプロファイル記憶部を参照し、取得したユーザＩＤに対応付けられている各種の情報を抽出し、抽出した各種の情報を制御メッセージ送信部に送出する部分である。
【００３５】
ユーザプロファイル記憶部１８は、移動端末２を識別するユーザＩＤに対応付けて、メッセージサービス種別、電話番号、ＩＰアドレス、受信ポート番号及び在圏状態を記憶している。図５は、ユーザプロファイル記憶部１８の構成及び記憶されているデータの一例を示す図である。メッセージサービス種別は、メッセージアプリケーションの種類を識別するものである。電話番号は、当該ユーザＩＤにより特定される移動端末２の電話番号であり、この電話番号は、本発明の呼び出し番号を構成する。ＩＰアドレスは、移動端末２のネットワーク上の場所を識別するものであり、ＨＧＷ装置１との無線通信部１０を介した、例えば所定の無線ＬＡＮ方式によるＩＰ接続が確立されたときのＩＰアドレスを記憶している。受信ポート番号は、当該移動端末２と通信を行うために用いるポート番号である。在圏状態は、在圏確認処理部１１により判断された移動端末２のＩＰ接続の状態である。
【００３６】
制御メッセージ送信部１９は、呼び出し番号抽出部１７により抽出された電話番号宛てに、プッシュ型の通信プロトコルを用いて、セルラ網を介して制御ＳＭＳを送信する部分である。制御ＳＭＳには、移動端末２にセルラ網を介したＩＰ接続をさせるための動作制御が可能な制御コードが含まれている。
【００３７】
続いて、図７及び図８を用いて、本実施形態の通信接続方法におけるＨＧＷ装置１の動作について説明する。図７は、ＨＧＷ装置１において行われる移動端末２の在圏確認及びＩＰアドレスの代理登録の処理を示すフローチャートである。
【００３８】
まず、在圏確認処理部１１は、移動端末２と無線通信部１０との間のＩＰ接続が確立しているか否かを判断することにより、移動端末２の在圏確認を行う（Ｓ１）。在圏確認処理部１１は、ユーザプロファイル記憶部１８を参照してユーザＩＤ毎にＩＰアドレス及びポート番号を抽出し、当該ユーザＩＤにより識別される移動端末２との間のＩＰ接続の状態を判断する。移動端末２Ａに示すように、移動端末２がＨＧＷ装置１とのＩＰ接続が確立していないような状態にある場合には、移動端末２Ａは在圏していないと判断される。一方、移動端末２Ｂとして示すように、移動端末２が自宅内Ｈにあり、ＨＧＷ装置１との、無線通信部１０を介した、例えば無線ＬＡＮ通信によるＩＰ接続が確立しているような状態にある場合には、移動端末２Ｂは在圏していると判断される。
【００３９】
移動端末２が在圏していないと判断された場合には（Ｓ２）、処理手順はステップＳ３に進められる。在圏確認処理部１１は、移動端末が在圏していない旨の通知を代理登録部１２に送出する。代理登録部１２は、移動端末２によるユーザＩＤ及びＩＰアドレスの登録に代えて、ＩＰ通信網送受信部１３及びネットワークＮ１を介して、当該移動端末２のユーザＩＤ及びＨＧＷ装置１のＩＰアドレスをアプリケーションユーザ情報記憶部４０に代理登録する（Ｓ３）。例えば、ユーザＩＤ「ＡＡＡ」により識別される移動端末２Ａが在圏していないと判断された場合には、代理登録部１２は、移動端末２ＡのユーザＩＤ「ＡＡＡ」及びＨＧＷ装置１のＩＰアドレス「Ｘ．Ｘ．Ｘ．Ｘ」をアプリケーションユーザ情報記憶部４０に登録する。そして、在圏確認処理部１１は、ユーザプロファイル記憶部１８における当該ユーザＩＤに対応する在圏状態を「０」に設定する（Ｓ４）。
【００４０】
一方、移動端末２が在圏していると判断された場合には（Ｓ２）、処理手順はステップＳ５に進められ、在圏確認処理部１１は、ユーザプロファイル記憶部１８における当該ユーザＩＤに対応する在圏状態を「１」に設定する（Ｓ５）。例えば、ユーザＩＤ「ＢＢＢ」により識別される移動端末２が移動端末２Ｂである場合には、移動端末２Ｂは在圏していると判断され、図５に示すユーザプロファイル記憶部１８において、在圏状態が「１」に設定される。在圏していると判断された移動端末２Ｂにおいてメッセージアプリケーションが起動されると、移動端末２Ｂは、移動端末２ＢのユーザＩＤ「ＢＢＢ」及びＩＰアドレス「Ｂ．Ｂ．Ｂ．Ｂ」をアプリケーションユーザ情報記憶部４０に、ＨＧＷ装置１及びネットワークＮ１を介して登録する。
【００４１】
続いて、図８に示すフローチャートについて説明する。図８は、移動端末２とのＩＰ接続を確立し、発信者端末３とのメッセージアプリケーションによる通信を接続する処理を示すフローチャートである。
【００４２】
まず、接続要求受付部１６は、発信者端末３からのメッセージアプリケーションによる着信があったか否かを判定する（Ｓ１０）。メッセージアプリケーションによる着信は、即ち、発信者端末３にとってのメッセージの送信先の移動端末２に対する接続要求である。また、接続要求受付部１６は、接続要求から例えば「ＩＭ１」といったメッセージアプリケーションのメッセージサービス種別を抽出する。
【００４３】
この接続要求は、アプリケーションユーザ情報記憶部４０において、メッセージの送信対象のユーザＩＤに対応付けられているＩＰアドレスに対して行われる。例えば、メッセージの送信対象のユーザＩＤが「ＢＢＢ」である場合には、接続要求は、ＩＰアドレス「Ｂ．Ｂ．Ｂ．Ｂ」に対して送信されることとなり、移動端末２Ｂに対する直接の接続要求となる。一方、メッセージの送信対象のユーザＩＤが「ＡＡＡ」である場合には、接続要求は、ＩＰアドレス「Ｘ．Ｘ．Ｘ．Ｘ」に対して送信されることとなり、ＨＧＷ装置１に対する接続要求となる。また、接続要求は、移動端末２を識別するユーザＩＤ、メッセージアプリケーションの種別を含む。
【００４４】
発信者端末３からのメッセージアプリケーションによる着信があった場合には、在圏確認処理部１１は、ユーザプロファイル記憶部１８を参照し、接続要求に含まれるユーザＩＤにより識別される移動端末２が在圏しているか否かを判断する（Ｓ１１）。例えば、接続要求に含まれるユーザＩＤが「ＡＡＡ」である場合には、在圏確認処理部１１は、移動端末２Ａは在圏していないと判断する。一方、接続要求に含まれるユーザＩＤが「ＢＢＢ」である場合には、在圏確認処理部１１は、移動端末２Ｂは在圏していると判断する。
【００４５】
移動端末２Ｂは在圏していると判断された場合には、発信者端末３と移動端末２Ｂとの間のＩＰ接続が確立された状態であるので、メッセージアプリケーションによる移動端末２Ｂと発信者端末３との間の接続確認を実施した後、通信接続部１５は、無線通信部１０を介してＩＰ接続された移動端末２Ｂと、ＩＰ通信網送受信部１３、ネットワークＮ１を介してＩＰ接続された発信者端末３との間において、メッセージを双方向に転送することにより、通信を接続する（Ｓ１２）。
【００４６】
これに対して、移動端末２Ａが在圏していないと判断された場合には（Ｓ１１）、ＨＧＷ装置１は、セルラ網であるネットワークＮ２を介して制御ＳＭＳを移動端末２Ａに送信する（Ｓ１３）。具体的には、まず、呼び出し番号抽出部１７は、ユーザプロファイル記憶部１８を参照して、接続要求に含まれるユーザＩＤに対応づけられている電話番号、メッセージサービス種別を抽出する。例えば、接続要求に含まれるユーザＩＤが「ＡＡＡ」である場合には、電話番号「０９０−１１１１−１１１１」、メッセージサービス種別「ＩＭ１」を抽出する。呼び出し番号抽出部１７は、抽出した電話番号およびメッセージサービス種別の情報を、制御メッセージ送信部１９に送出する。
【００４７】
次に、制御メッセージ送信部１９は、呼び出し番号抽出部１７から取得したメッセージサービス種別の情報を含む制御ＳＭＳを生成する。なお、接続要求から抽出されたメッセージサービス種別と、ユーザプロファイル記憶部１８から抽出されたメッセージサービス種別とが一致することを条件として、制御ＳＭＳが生成されることとしてもよい。
【００４８】
図６は、制御ＳＭＳの構成及び内容の一例を示す図である。図６に示すように、制御ＳＭＳは、制御種別、接続先情報、メッセージサービス種別及びユーザＩＤの情報を含む。制御種別は、移動端末２Ａを動作制御する制御コードの内容を示す。制御種別「接続要求」は、移動端末２にネットワークＮ２を介したＨＧＷ装置１とのＩＰ接続（パケット接続）を確立させるための制御コードを表すものである。接続先情報は、移動端末２ＡにＩＰ接続させるためのアクセス先の所在を示す情報であり、図６に示すように例えばＵＲＬ情報である。また、接続先情報は、ＩＰアドレスであってもよい。メッセージサービス種別は、メッセージアプリケーションのメッセージサービス種別を示す。ユーザＩＤは、接続要求に含まれていたユーザＩＤであり、発信者端末３からのメッセージの送信対象である。
【００４９】
そして、制御メッセージ送信部１９は、プッシュ型の送信プロトコルにより、呼び出し番号抽出部１７により抽出された電話番号「０９０−１１１１−１１１１」宛てに、ネットワークＮ２を介して制御ＳＭＳを移動端末２Ａに送信する。
【００５０】
制御端末２Ａは、ＨＧＷ装置１から送信された制御ＳＭＳを受信する（Ｓ１４）。そして、移動端末２Ａは、制御ＳＭＳに含まれる制御種別「接続要求」に応じて、セルラ網であるネットワークＮ２を介して、制御ＳＭＳに含まれる接続先情報に示される接続先にアクセスして、ＨＧＷ装置１とのＩＰ接続（パケット接続）を確立する（Ｓ１５、Ｓ１６）。
【００５１】
次に、メッセージアプリケーションによる移動端末２Ａと、ＨＧＷ装置１との間の通信接続の確認を実施する（Ｓ１７、Ｓ１８）。移動端末２Ａと、ＨＧＷ装置１との間の通信接続が確認された後に、接続要求受付部１６は、メッセージアプリケーションによる通信接続の確認の通知を発信者端末３に送信する。
【００５２】
続いて、移動端末２Ａは、発信者端末３とのメッセージアプリケーションによる通信を実施する（Ｓ１９）。そして、通信接続部１５は、セルラ網送受信部１４、ネットワークＮ２（セルラ網）を介してＩＰ接続された移動端末２Ａと、ＩＰ通信網送受信部１３、ネットワークＮ１を介してＩＰ接続された発信者端末との間の通信を、双方向にメッセージを転送することにより接続する（Ｓ２０）。
【００５３】
続いて、以上説明した通信接続装置及び通信接続方法の作用効果について説明する。本実施形態の通信接続装置及び通信接続方法では、接続要求受付部１６が、発信者端末３からの接続要求を受け付けると、呼び出し番号抽出部１７が、接続要求に含まれるユーザＩＤに対応する電話番号をユーザプロファイル記憶部から抽出し、制御メッセージ送信部１９が、抽出した電話番号宛てに制御ＳＭＳを送信する。制御ＳＭＳには、移動端末２にセルラ網であるネットワークＮ２を介したＩＰ接続をさせるための動作制御が可能な制御コードが含まれているので、移動端末２は、制御コードにより動作制御され、ネットワークＮ２とＩＰ接続される。これにより、移動端末２とＨＧＷ装置１とが常時ＩＰ接続されることとなるので、ＨＧＷ装置１が通信を接続することにより、ＩＰ通信網上の発信者端末３と移動端末２との間の常時ＩＰ接続による通信が可能となる。
【００５４】
発信者端末３は、アプリケーションユーザ情報記憶部４０を参照して、通信の宛先となる装置のＩＰアドレスを認識する。従って、移動端末２ではなく代理登録されたＨＧＷ装置１のＩＰアドレスが通信の宛先として発信者端末３に認識されるので、接続要求は、ネットワークＮ１上のＨＧＷ装置１に送信されることとなる。これにより、ＨＧＷ装置は、移動端末２に代わって発信者端末３からの通信を受信し、受信した通信の内容を移動端末２に転送することが可能となる。従って、ＨＧＷ装置１は、移動端末２と発信者端末３との間の通信を接続することができる。
【００５５】
また、本実施形態では、移動端末２が常時ＩＰ接続されていない場合にのみ、ＨＧＷ装置１のＩＰアドレスがアプリケーションユーザ情報記憶部４０に登録されることとなるので、接続要求が移動端末２ではなくＨＧＷ装置１宛てに送信され、移動端末２にセルラ網であるネットワークＮ２とのＩＰ接続をさせるための制御ＳＭＳが送信されることとなる。従って、移動端末２が常時ＩＰ接続されていないことを認識した場合にのみ、ＨＧＷ装置１が発信者端末３と移動端末２との間の通信の接続を実施し、移動端末２が常時ＩＰ接続されていないことを認識しなかった場合には、発信者端末３と移動端末２との直接的なＩＰ接続により通信が行われる。
【符号の説明】
【００５６】
１…ＨＧＷ装置、２，２Ａ，２Ｂ…移動端末、３…発信者端末、４…メッセージサーバ、１０…無線通信部、１１…在圏確認処理部、１２…代理登録部、１３…通信網送受信部、１４…セルラ網送受信部、１５…通信接続部、１６…接続要求受付部、１７…呼び出し番号抽出部、１８…ユーザプロファイル記憶部、１９…制御メッセージ送信部、４０…アプリケーションユーザ情報記憶部、Ｎ１，Ｎ２…ネットワーク。
【図１】
2010288022.tif 000003
【図２】
2010288022.tif 000004
【図３】
2010288022.tif 000005
【図４】
2010288022.tif 000006
【図５】
2010288022.tif 000007
【図６】
2010288022.tif 000008
【図７】
2010288022.tif 000009
【図８】
2010288022.tif 000010